(57)【要約】【課題】ページコンテンツについて誰もが興味を持つ注目箇所を直ぐに表示することができるページサイトサーバ等を提供する。【解決手段】ページサイトサーバは、コメントサーバと通信可能であり、端末からのページ取得要求に応じて、テキストを含むページコンテンツを応答する。本発明のページサイトサーバは、ページコンテンツに関するコメント集合を、コメントサーバから検索するコメント集合検索手段と、ページコンテンツに関するコメント集合から、所定条件で出現頻度が多く、且つ、ページコンテンツのテキストに記述されている特徴語を抽出する特徴語抽出手段と、ページコンテンツにおける特徴語の出現箇所を検索する特徴語検索手段と、端末に表示すべき当該ページコンテンツについて、特徴語の出現箇所がユーザに閲覧されるように表示する閲覧箇所表示手段とを有する。【選択図】図２
2015064623.tif 000002
【特許請求の範囲】
【請求項１】
複数の投稿者間でテキストのコメントを発信し合うコメントサーバと通信可能であり、端末からのページ取得要求に応じて、テキストを含むページコンテンツを応答するページサイトサーバにおいて、
前記ページコンテンツに関するコメント集合を、前記コメントサーバから検索するコメント集合検索手段と、
前記ページコンテンツに関する前記コメント集合から、所定条件で出現頻度が多く、且つ、前記ページコンテンツのテキストに記述されている特徴語を抽出する特徴語抽出手段と、
前記ページコンテンツにおける前記特徴語の出現箇所を検索する特徴語検索手段と、
前記端末に表示すべき当該ページコンテンツについて、前記特徴語の出現箇所がユーザに閲覧されるように表示する閲覧箇所表示手段と
を有することを特徴とするページサイトサーバ。
【請求項２】
前記特徴語抽出手段は、前記ページコンテンツに関する前記コメント集合から、ＴＦ−ＩＤＦ(Term Frequency - Inverse Document Frequency)を用いて、他のページコンテンツに対して当該ページコンテンツを特徴付ける１つ以上の特徴語を抽出する
ことを特徴とする請求項１に記載のページサイトサーバ。
【請求項３】
前記閲覧箇所表示手段は、前記ページコンテンツにおける前記特徴語を含むページ部分を、前記端末の表示領域の先頭（頭出し）又は中央に表示する
ことを特徴とする請求項１又は２に記載のページサイトサーバ。
【請求項４】
前記閲覧箇所表示手段は、前記ページコンテンツにおける前記特徴語を強調して表示する
ことを特徴とする請求項１から３のいずれか１項に記載のページサイトサーバ。
【請求項５】
入力された語に対して汎化語（上位概念語）を出力する、概念体系を記述した概念辞書手段を更に有し、
前記特徴語抽出手段は、複数の特徴語を抽出した後、それら特徴語から前記概念辞書手段を用いて汎化語に変換し、出現頻度の多い汎化語を特徴語として出力する
ことを特徴とする請求項１から４のいずれか１項に記載のページサイトサーバ。
【請求項６】
前記ページコンテンツは、ニュース記事コンテンツであり、
前記コメントは、ＳＮＳ(Social Networking Service)サーバ、ブログ(Web-log)サーバ、掲示板サーバ又はレビューサイトサーバから発信されたものである
ことを特徴とする請求項１から５のいずれか１項に記載のページサイトサーバ。
【請求項７】
複数の投稿者間でテキストのコメントを発信し合うコメントサーバと、テキストを含むページコンテンツを公開するページ公開サーバと通信可能であり、端末から受信したページ取得要求を前記ページ公開サーバへ転送し、該ページ公開サーバから受信したページ個テンツを前記端末へ転送するプロキシサーバにおいて、
前記ページコンテンツに関するコメント集合を、前記コメントサーバから検索するコメント集合検索手段と、
前記ページコンテンツに関する前記コメント集合から、所定条件で出現頻度が多く、且つ、前記ページコンテンツのテキストに記述されている特徴語を抽出する特徴語抽出手段と、
前記ページコンテンツにおける前記特徴語の出現箇所を検索する特徴語検索手段と、
前記端末に表示すべき当該ページコンテンツについて、前記特徴語の出現箇所がユーザに閲覧されるように表示する閲覧箇所表示手段と
を有することを特徴とするプロキシサーバ。
【請求項８】
複数の投稿者間でテキストのコメントを発信し合うコメントサーバと通信可能であり、端末からのページ取得要求に応じて、テキストを含むページコンテンツを応答するページサイトサーバに搭載されたコンピュータを機能させるプログラムにおいて、
前記ページコンテンツに関するコメント集合を、前記コメントサーバから検索するコメント集合検索手段と、
前記ページコンテンツに関する前記コメント集合から、所定条件で出現頻度が多く、且つ、前記ページコンテンツのテキストに記述されている特徴語を抽出する特徴語抽出手段と、
前記ページコンテンツにおける前記特徴語の出現箇所を検索する特徴語検索手段と、
前記端末に表示すべき当該ページコンテンツについて、前記特徴語の出現箇所がユーザに閲覧されるように表示する閲覧箇所表示手段と
してコンピュータを機能させることを特徴とするプログラム。
【請求項９】
ページコンテンツを配信するページサイトサーバと、複数の投稿者間でテキストのコメントを発信し合うコメントサーバと通信可能なページサイトサーバのページ公開方法であって、
前記ページコンテンツに関するコメント集合を、前記コメントサーバから検索する第１のステップと、
前記ページコンテンツに関する前記コメント集合から、所定条件で出現頻度が多く、且つ、前記ページコンテンツのテキストに記述されている特徴語を抽出する第２のステップと、
前記ページコンテンツにおける前記特徴語の出現箇所を検索する第３のステップと、
前記端末に表示すべき当該ページコンテンツについて、前記特徴語の出現箇所がユーザに閲覧されるように表示する第４のステップと
を有することを特徴とするページサイトサーバのページ公開方法。
【発明の詳細な説明】
【技術分野】
【０００１】
本発明は、Ｗｅｂページを公開するページサイトサーバの技術に関する。
【背景技術】
【０００２】
近年、インターネットを介して、ページサイトサーバから大量なＷｅｂページコンテンツが公開されている。ページコンテンツは、不特定多数の第三者からアクセス可能なページであって、テキスト文章を含む。また、端末は、そのページサイトサーバへアクセスし、ブラウザにそのページコンテンツの一部（可能であれば全部）を表示する。ユーザは、ブラウザに表示されたページを閲覧しながら、その表示範囲をスクロール（ページダウン／ページアップ）させることができる。
【０００３】
一方で、インターネットを介して、ＳＮＳ(Social Networking Service)や、ブログ(Web log)、ミニブログ(mini Web log)（例えばtwitter（登録商標））のようなサイトサーバに対して、不特定多数のユーザから大量のコメントが投稿されている。このようなコメントは、共通の話題に対して議論されている場合も多い。例えば、前述したようなページコンテンツを共通の話題として、多数のコメントが投稿されることも多い。
【０００４】
従来、ネットワーク上に存在する情報サイトを、ユーザに閲覧しやすくする技術がある。例えば、多数の情報サイトの中から、ユーザにとって必要となる確率の高い情報を自動的に抽出して表示する技術がある（例えば特許文献１参照）。この技術によれば、予め登録した各情報サイトからタイトルや記事情報を抽出し、複数の情報サイトの中で、類似した記事が掲載されている情報を優先的に提示する。所望の情報（タイトル）にフォーカスを合わせると、その本文テキストが読み出されポップアップ表示される。
【０００５】
また、ブログサイトのＨＴＭＬ(HyperText Markup Language)中のタグを解析することによって、ブログサイト中のユーザが記述した本文部分のみを抽出する技術もある（例えば特許文献２参照）。更に、Ｗｅｂニュースの文章構造を解析することで、未来に関する記述を抽出し、抽出した情報を年表形式で自動的にまとめる技術もある（例えば非特許文献１参照）。
【先行技術文献】
【特許文献】
【０００６】
【特許文献１】特開２０１１−１５０５９１号公報
【特許文献２】特許第５０６８３５６号
【非特許文献】
【０００７】
【非特許文献１】吉田光男、乾孝司、山本幹雄、「Ｗｅｂニュースを用いた未来情報年表の自動構築」、筑波大学大学院システム情報工学研究科、[online]、［平成２５年９月１６日検索］、インターネット＜URL:http://rit.rakuten.co.jp/conf/rrds3/papers/RRDS3-P-14.pdf＞
【非特許文献２】「ＥＤＲコーパス」、 [online]、［平成２５年９月１６日検索］、インターネット＜URL:http://www2.nict.go.jp/out-promotion/techtransfer/EDR/JPN/Struct/Struct-CPS.html＞
【発明の概要】
【発明が解決しようとする課題】
【０００８】
特許文献１に記載の技術によれば、複数の情報サイトに掲載されている重要なニュース記事全体を、端末に表示しようとする。また、特許文献２に記載の技術によれば、Ｗｅｂページから広告やバナー等を除いた本文部分のみを、端末に表示しようとする。更に、非特許文献１に記載の技術によれば、ニュース記事中における所定観点の記述箇所を抜粋してまとめた要約文を、端末に表示しようとする。
【０００９】
いずれの従来技術も、ユーザは、端末のブラウザに表示されたページコンテンツの一部を閲覧しながら、表示範囲をスクロールさせて、注目記述文章を探す必要がある。例えば、注目記述文章がページコンテンツの末尾にある場合、ユーザは、ページコンテンツの先頭から末尾までスクロールさせなければならない。
【００１０】
ここで、発明者らは、ページコンテンツについて誰もが興味を持つ注目箇所を直ぐに表示することができないか？と考えた。前述した従来技術によれば、スマートフォンやタブレットのような端末のディスプレイにページコンテンツを表示する場合、画面サイズの制約によって、ユーザは、注目箇所を更に閲覧しにくいという課題もある。
【００１１】
そこで、本発明は、ページコンテンツについて誰もが興味を持つ注目箇所を直ぐに表示することができるページサイトサーバ、プログラム及び方法を提供することを目的とする。
【課題を解決するための手段】
【００１２】
本発明によれば、複数の投稿者間でテキストのコメントを発信し合うコメントサーバと通信可能であり、端末からのページ取得要求に応じて、テキストを含むページコンテンツを応答するページサイトサーバにおいて、
ページコンテンツに関するコメント集合を、コメントサーバから検索するコメント集合検索手段と、
ページコンテンツに関するコメント集合から、所定条件で出現頻度が多く、且つ、ページコンテンツのテキストに記述されている特徴語を抽出する特徴語抽出手段と、
ページコンテンツにおける特徴語の出現箇所を検索する特徴語検索手段と、
端末に表示すべき当該ページコンテンツについて、特徴語の出現箇所がユーザに閲覧されるように表示する閲覧箇所表示手段と
を有することを特徴とする。
【００１３】
本発明のページサイトサーバにおける他の実施形態によれば、
特徴語抽出手段は、ページコンテンツに関するコメント集合から、ＴＦ−ＩＤＦ(Term Frequency - Inverse Document Frequency)を用いて、他のページコンテンツに対して当該ページコンテンツを特徴付ける１つ以上の特徴語を抽出することも好ましい。
【００１４】
本発明のページサイトサーバにおける他の実施形態によれば、
閲覧箇所表示手段は、ページコンテンツにおける特徴語を含むページ部分を、端末の表示領域の先頭（頭出し）又は中央に表示することも好ましい。
【００１５】
本発明のページサイトサーバにおける他の実施形態によれば、
閲覧箇所表示手段は、ページコンテンツにおける特徴語を強調して表示することも好ましい。
【００１６】
本発明のページサイトサーバにおける他の実施形態によれば、
入力された語に対して汎化語（上位概念語）を出力する、概念体系を記述した概念辞書手段を更に有し、
特徴語抽出手段は、複数の特徴語を抽出した後、それら特徴語から概念辞書手段を用いて汎化語に変換し、出現頻度の多い汎化語を特徴語として出力する
ことも好ましい。
【００１７】
本発明のページサイトサーバにおける他の実施形態によれば、
ページコンテンツは、ニュース記事コンテンツであり、
コメントは、ＳＮＳ(Social Networking Service)サーバ、ブログ(Web-log)サーバ、掲示板サーバ又はレビューサイトサーバから発信されたものである
ことも好ましい。
【００１８】
本発明によれば、複数の投稿者間でテキストのコメントを発信し合うコメントサーバと、テキストを含むページコンテンツを公開するページ公開サーバと通信可能であり、端末から受信したページ取得要求をページ公開サーバへ転送し、該ページ公開サーバから受信したページ個テンツを端末へ転送するプロキシサーバにおいて、
ページコンテンツに関するコメント集合を、コメントサーバから検索するコメント集合検索手段と、
ページコンテンツに関するコメント集合から、所定条件で出現頻度が多く、且つ、ページコンテンツのテキストに記述されている特徴語を抽出する特徴語抽出手段と、
ページコンテンツにおける特徴語の出現箇所を検索する特徴語検索手段と、
端末に表示すべき当該ページコンテンツについて、特徴語の出現箇所がユーザに閲覧されるように表示する閲覧箇所表示手段と
を有することを特徴とする。
【００１９】
本発明によれば、複数の投稿者間でテキストのコメントを発信し合うコメントサーバと通信可能であり、端末からのページ取得要求に応じて、テキストを含むページコンテンツを応答するページサイトサーバに搭載されたコンピュータを機能させるプログラムにおいて、
ページコンテンツに関するコメント集合を、コメントサーバから検索するコメント集合検索手段と、
ページコンテンツに関するコメント集合から、所定条件で出現頻度が多く、且つ、ページコンテンツのテキストに記述されている特徴語を抽出する特徴語抽出手段と、
ページコンテンツにおける特徴語の出現箇所を検索する特徴語検索手段と、
端末に表示すべき当該ページコンテンツについて、特徴語の出現箇所がユーザに閲覧されるように表示する閲覧箇所表示手段と
してコンピュータを機能させることを特徴とする。
【００２０】
本発明によれば、ページコンテンツを配信するページサイトサーバと、複数の投稿者間でテキストのコメントを発信し合うコメントサーバと通信可能なページサイトサーバのページ公開方法であって、
ページコンテンツに関するコメント集合を、コメントサーバから検索する第１のステップと、
ページコンテンツに関するコメント集合から、所定条件で出現頻度が多く、且つ、ページコンテンツのテキストに記述されている特徴語を抽出する第２のステップと、
ページコンテンツにおける特徴語の出現箇所を検索する第３のステップと、
端末に表示すべき当該ページコンテンツについて、特徴語の出現箇所がユーザに閲覧されるように表示する第４のステップと
を有することを特徴とする。
【発明の効果】
【００２１】
本発明のページサイトサーバ、プログラム及び方法によれば、ページコンテンツについて誰もが興味を持つ注目箇所を直ぐに表示することができる。特にスマートフォンやタブレットのような端末のディスプレイにページコンテンツを表示する場合であっても、画面サイズの制約の影響を受けることなく、ユーザは注目箇所を閲覧しやすくなる。
【図面の簡単な説明】
【００２２】
【図１】本発明におけるシステム構成図である。
【図２】本発明におけるページサイトサーバの機能構成図である。
【図３】ページコンテンツの例である。
【図４】図３のページコンテンツに対して取得されたコメント集合の例である。
【図５】本発明におけるページコンテンツの第１の表示例である。
【図６】本発明におけるページコンテンツの第２の表示例である。
【図７】本発明におけるプロキシサーバの機能構成図である。
【発明を実施するための形態】
【００２３】
以下、本発明の実施の形態について、図面を用いて詳細に説明する。
【００２４】
図１は、本発明におけるシステム構成図である。
【００２５】
図１によれば、ページサイトサーバ１と、コメントサーバ２と、ページ公開サーバ３（オプション的）と、端末４とが、インターネットを介して接続されている。
【００２６】
ページサイトサーバ１は、注目箇所を直ぐに表示することができるようにスクロールさせたページコンテンツを配信する。ページコンテンツは、例えばニュース記事のようなテキストを含むものであって、不特定多数のユーザからアクセス可能なものである。
【００２７】
コメントサーバ２は、複数の投稿者間でテキストのコメントを発信し合うことができるサイトサーバである。例えばＳＮＳ(Social Networking Service)サーバ、ブログ(Web-log)サーバ、掲示板サーバ又はレビューサイトサーバであってもよい。コメントサーバ２が公開するコメントは、例えばtwitter（登録商標）サイトで公開されるツィートのようなものである。
【００２８】
ページサイトサーバをプロキシサーバ１として、別途、ページ公開サーバ３が、インターネットに更に接続されていてもよい。プロキシサーバ１は、端末４とページ公開サーバ３との間でプロキシとして機能し、ページ公開サーバ３から配信されるページコンテンツを端末４へ送信する。このとき、プロキシサーバ１は、そのページコンテンツに、注目箇所を直ぐに表示するスクロール制御コードを添付する。
【００２９】
端末４は、例えばスマートフォンやタブレット、携帯電話機、パーソナルコンピュータ、テレビ等であって、ブラウザによって閲覧可能なものである。端末４は、ページサイトサーバ１へアクセスすることによって、ページコンテンツの一部（又は可能であれば全部）をブラウザに表示する。本発明によれば、そのページコンテンツは、誰もが興味を持つ注目箇所にスクロールした状態で表示される。
【００３０】
尚、以下では、ページサイトサーバ１とコメントサーバ２とが別々にインターネットに設置されているものとして説明する（図１参照）が、これら機能が一体となったサイトサーバであってもよい。このようなサイトサーバの場合、ページコンテンツ毎に、多数のコメントが対応付けて公開されている。例えばYouTube（登録商標）のようなサイトサーバがある。
【００３１】
図２は、本発明におけるページサイトサーバの機能構成図である。
【００３２】
図２によれば、ページサイトサーバ１は、インターネットに接続する通信インタフェースと共に、ページコンテンツ蓄積部１０と、コメント集合検索部１１と、特徴語抽出部１２と、概念辞書部１３と、特徴語検索部１４と、閲覧箇所表示部１５と、ページコンテンツ検索部１６とを有する。これら機能構成部は、サーバに搭載されたコンピュータを機能させるプログラムを実行することによって実現される。また、これら機能構成部の処理の流れは、コメント公開方法としても理解できる。
【００３３】
［ページコンテンツ蓄積部１０］
ページコンテンツ蓄積部１０は、ページコンテンツを予め記憶したものである。ページコンテンツ蓄積部１０は、例えばＲＳＳ(Really Simple Syndication／Rich Site Summary)を用いて、最新のページコンテンツ（ＵＲＬ(Uniform Resource Locator)）を収集されたものであってもよい。
【００３４】
図３は、ページコンテンツの例である。
【００３５】
図３によれば、タイトル「ａ社から、新しい携帯端末Ｘが発売！」について、テキスト及び画像からなるページが表されている。
【００３６】
［コメント集合検索部１１］
コメント集合検索部１１は、ページコンテンツに関するコメント集合を、コメントサーバ２から検索する。ページコンテンツは、ページコンテンツ蓄積部１０に蓄積されており、ページコンテンツ検索部１６によって端末４から要求されたものであってもよい。コメント集合検索部１１は、例えばページコンテンツのＵＲＬやタイトル、又はハッシュタグを検索キーとして、コメントサーバ２によって公開される検索用ＡＰＩ(Application Programing Interface)を用いて検索する。例えばページコンテンツがニュース記事である場合、そのニュース記事に関する不特定多数の第三者のコメント集合を収集することができる。検索されたコメント集合は、特徴語抽出部１２へ出力される。
【００３７】
図４は、図３のページコンテンツに対して取得されたコメント集合の例である。
【００３８】
図４によれば、図３のページコンテンツに対して、以下のようなコメント集合が取得されたとする。
ページコンテンツ「ａ社から携帯端末Ｘが発売！」  http://www.a.com/X.html
コメント集合
［なんだこの機能性の高さは・・・］
［値段がちょっと高いな。］
［２万円台で買えるなら考えてもいい。］
［これは買わない。］
［無駄に高機能なんだがｗｗｗ］
［ａ社は、こういう価格帯なのね］
［高いけど、コスパならお得かも］
［すごい、ａ社の新端末、めっちゃ高機能（*^○^*）］
［なにこれ、欲しい。］
［これ欲しい、値段も安いし、明日買おうかな。］
［おいおいｗｗｗｗｗｗｗｗｗｗ］
［もうちょっと安かったらなぁ］
【００３９】
［特徴語抽出部１２］
特徴語抽出部１２は、ページコンテンツに関するコメント集合から、所定条件で出現頻度が多く、且つ、ページコンテンツのテキストに記述されている「特徴語」を抽出する。ここで、所定条件として例えば、ページコンテンツに関するコメント集合から、ＴＦ−ＩＤＦ（Term Frequency - Inverse Document Frequency：単語の出現頻度−逆出現頻度）を用いて、他のページコンテンツに対して当該ページコンテンツを特徴付ける１つ以上の特徴語を抽出するものであってもよい。
【００４０】
特徴語抽出部１２は、コメント集合に含まれるテキストから形態素解析によって単語を抽出する。「形態素解析」とは、文章を、意味のある単語に区切り、辞書を利用して品詞や内容を判別する技術をいう。「形態素」とは、文章の要素のうち、意味を持つ最小の単位を意味する。そして、形態素解析によって抽出された単語から、ＴＦ−ＩＤＦによって特徴的な単語を抽出する。ＴＦ−ＩＤＦとは、各単語に重みを付けて、クエリから文章をベクトル空間で表し、文章とクエリの類似度でランク付けをする技術である。ランク付けられた値が高いほど、特徴語と認識される。例えば、ＴＦには、各ニュース記事のタイトル又は記事本文中の各単語の出現頻度を設定し、ＩＤＦには、全ニュース記事における各単語の出現頻度を設定する。
【００４１】
図４によれば、例えば以下のような「特徴語」及びその「出現頻度」が検出される。
［特徴語］      ［出現頻度］
”機能”          ３回
”値段”          ２回
”万円”          １回
”価格”          １回
”コスパ”        １回
”安”            １回
ここでは、最も出現頻度が高い特徴語「機能」が、特徴語検索部１４へ出力される。尚、最も出現頻度が高い特徴語が、ページコンテンツに記述されていない語である場合、次に出現頻度が高い特徴語が出力される。
【００４２】
［概念辞書部１３］
概念辞書部１３は、入力された語に対して汎化語（上位概念語）を出力する、概念体系を記述したものである。概念辞書部１３は、例えばＥＤＲコーパスであってもよい（例えば非特許文献２参照）。ＥＤＲコーパスは、コーパスレコードの集合であって、各コーパスレコードは、「見出し情報」「文構成要素情報」「形態素情報」「構文情報」「意味情報」から構成される。ここで、意味情報には、フレームやグラフによって、概念間の関係を記した概念関係表現のデータが記述されている。
【００４３】
前述した特徴語抽出部１２は、他の実施形態として、複数の特徴語を抽出した後、それら特徴語から概念辞書部１３を用いて汎化語に変換し、出現頻度の多い汎化語を特徴語として出力するものであってもよい。
前述の例によれば、複数の特徴語は、例えば以下のように汎化語に変換される。
［特徴語］  ->  ［汎化語］
”機能”        ”機能”
”値段”        ”価格”
”万円”        ”価格”
”価格”        ”価格”
”コスパ”      ”価格”
”安”          ”安”
【００４４】
この場合、各汎化語について、出現頻度が算出される。
［汎化語］  ->  ［出現頻度］
”価格”        ５回
”機能”        ３回
”安”          １回
ここでは、最も出現頻度が高い汎化語「価格」（及び特徴語「値段」「万円」「コスパ」を含む）が、特徴語検索部１４へ出力される。
【００４５】
［特徴語検索部１４］
特徴語検索部１４は、ページコンテンツにおける特徴語の出現箇所を検索する。
【００４６】
特徴語「機能」の場合、図３のページコンテンツによれば、以下の文章箇所が検索される。
「最高の"機能"！」
また、特徴語「価格」の場合、図３のページコンテンツによれば、以下の文章箇所が検索される。
「お"値段"は、税込み３,１５０円です。」
【００４７】
［閲覧箇所表示部１５］
閲覧箇所表示部１５は、端末に表示すべき当該ページコンテンツについて、特徴語の出現箇所がユーザに閲覧されるように表示する。具体的には、そのページコンテンツに、注目箇所が直ぐに表示されるスクロール制御コードを添付する。
【００４８】
具体的には、以下の２つ方法のいずれか又は両方で表示される。
（表示方法１）ページコンテンツにおける特徴語を含むページ部分が、端末の表示領域の先頭（頭出し）又は中央に（スクロールされた状態で）表示される。
（表示方法２）ページコンテンツにおける特徴語が、強調して表示される。特徴語が蛍光色でマークされて表示されるものであってもよい。
【００４９】
図５は、本発明におけるページコンテンツの第１の表示例である。
【００５０】
特徴語「機能」の場合、図３のページコンテンツによれば、以下の文章箇所が中央に表示される。
「最高の"機能"！
ＣＰＵに６４ｂｉｔ採用、ＯＳにバーション５．１を採用
テレビと同じ解像度、カメラは高速シャッター、
しかも、スマートフォン同士で充電できる、充電ケーブル付き。」
【００５１】
前述の特徴語「機能」を含む文章箇所について、ＨＴＭＬコードは、例えば以下のように記述される。
「    ・・・・・
最高の<DEFANGED_span id="highlight" style="background-color: #ffff00">機能
</DEFANGED_span>！<br/>
ＣＰＵに６４ｂｉｔ採用、ＯＳにバーション５．１を採用<br/>
テレビと同じ解像度、カメラは高速シャッター、<br/>
しかも、スマートフォン同士で充電できる、充電ケーブル付き。<br/>
・・・・・                                                      」
id="highlight"：頭出し用の目印（"highlight"は、任意の文字列）
style="background-color: #ffff00"：文字の背景色を黄色にハイライトする
そして、例えば以下のようなＵＲＬで参照することによって、「最高の機能！」の行が頭出しされる。
http://サーバ/test.html#highlight
【００５２】
図６は、本発明におけるページコンテンツの第２の表示例である。
【００５３】
特徴語「価格」の場合、図３のページコンテンツによれば、以下の文章箇所が中央に表示される。
「お"値段"は、税込み３,１５０円です。
ご購入は、以下の場所で。
オンラインショップ->
最寄りのａ社ショップ->                                  」
【００５４】
［ページコンテンツ検索部１６］
ページコンテンツ検索部１６は、端末４からページ取得要求を受信し、その要求に応じたページコンテンツを検索し、そのページコンテンツを端末４へ応答する。尚、ページコンテンツ検索部１６は、ページコンテンツに加えて、コメント集合自体も、端末４へ送信するものであってもよい。端末４を閲覧するユーザにとっては、コメント集合も閲覧することによって、どのようなコメントが投稿されているかを知ることもできる。このときｍ、表示対象となった「特徴語」を含むコメント集合のみを表示することも好ましい。
【００５５】
図７は、本発明におけるプロキシサーバの機能構成図である。
【００５６】
図７によれば、図２と比較して、ページサイトサーバがプロキシサーバとして機能する。そのために、図２のページコンテンツ蓄積部１０に対して、図７には、ページコンテンツ取得部１７が備えられている。ページコンテンツ取得部１７は、ページ公開サーバ３へページ取得要求を送信し、応答のページコンテンツを受信する。プロキシサーバ１は、そのページコンテンツに、注目箇所を直ぐに表示するスクロール制御コードを添付して、端末４へ更に応答する。
【００５７】
以上、詳細に説明したように、本発明のページサイトサーバ、プログラム及び方法によれば、ページコンテンツについて誰もが興味を持つ注目箇所を直ぐに表示することができる。特にスマートフォンやタブレットのような端末のディスプレイにページコンテンツを表示する場合であっても、画面サイズの制約の影響を受けることなく、ユーザは、注目箇所を閲覧しやすくなる。
【００５８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５９】
１  ページサイトサーバ
１０  ページコンテンツ蓄積部
１１  コメント集合検索部
１２  特徴語抽出部
１３  概念辞書部
１４  特徴語検索部
１５  閲覧箇所表示部
１６  ページコンテンツ検索部
１７  ページコンテンツ取得部
２  コメントサーバ
３  ページ公開サーバ
４  端末
【図１】
2015064623.tif 000003
【図２】
2015064623.tif 000004
【図３】
2015064623.tif 000005
【図４】
2015064623.tif 000006
【図５】
2015064623.tif 000007
【図６】
2015064623.tif 000008
【図７】
2015064623.tif 000009